(57)【要約】  本発明は、リソース位置の確定方法、端末装置、ネットワーク装置及びコンピュータ記憶媒体を開示する。前記方法は、ＣＳＩ報告構成情報に含まれるダウンリンク測定リソース構成、及びアップリンク報告リソース構成に基づき、タイムスロットオフセットを確定することであって、前記タイムスロットオフセットが、ＣＳＩ基準リソースの報告時刻に対するタイムスロットオフセットを表すことと、少なくとも前記タイムスロットオフセットに基づき、ＣＳＩ基準リソースの時間領域位置を確定することとを含む。
2021528878.tif 000002
【特許請求の範囲】
【請求項１】
端末装置に適用されるリソース位置の確定方法であって、
ＣＳＩ報告構成情報に含まれるダウンリンク測定リソース構成、及びアップリンク報告リソース構成に基づき、タイムスロットオフセットを確定することであって、前記タイムスロットオフセットが、ＣＳＩ基準リソースの報告時刻に対するタイムスロットオフセットを表すことと、
少なくとも前記タイムスロットオフセットに基づき、ＣＳＩ基準リソースの時間領域位置を確定することと、を含む、リソース位置の確定方法。
【請求項２】
前記方法はさらに、
ネットワーク側から送信された第一の情報を受信することと、
前記第一の情報に基づき、少なくとも１つのＣＳＩ報告構成情報を取得することと、を含むことを特徴とする
請求項１に記載の方法。
【請求項３】
前記ＣＳＩ報告構成情報は、ＣＳＩ報告が周期的報告、又は準周期的報告、又は非周期的報告であることをさらに含み、
前記ＣＳＩ報告構成情報に含まれるダウンリンク測定リソース構成は、ＣＳＩ報告に対応する測定リソースの構成を含み、
前記ＣＳＩ報告構成情報に含まれるアップリンク報告リソース構成は、報告する時のＰＵＣＣＨのリソース構成、及び／又は、報告する時のＰＵＳＣＨリソース構成を含むことを特徴とする
請求項１に記載の方法。
【請求項４】
ＣＳＩ報告構成に含まれるダウンリンク測定リソース構成、及びアップリンク報告リソース構成に基づいてタイムスロットオフセットを確定することは、
ＣＳＩ報告が周期的報告又は準周期的報告である場合、報告する時のＰＵＣＣＨ又はＰＵＳＣＨのリソース構成に基づき、ＣＳＩ基準リソースの報告時刻に対するタイムスロットオフセットを確定することを含むことを特徴とする
請求項１に記載の方法。
【請求項５】
ＣＳＩ報告構成情報に含まれるダウンリンク測定リソース構成、及びアップリンク報告リソース構成に基づいてタイムスロットオフセットを確定することは、
ＣＳＩ報告が周期的報告又は準周期的報告である場合、ＣＳＩ報告構成情報に対応するダウンリンク測定リソースのリソース構成に基づき、ＣＳＩ基準リソースの報告時刻に対するタイムスロットオフセットを確定することを含むことを特徴とする
請求項１に記載の方法。
【請求項６】
ＣＳＩ報告構成情報に含まれるダウンリンク測定リソース構成、及びアップリンク報告リソース構成に基づき、タイムスロットオフセットを確定することは、
ＣＳＩ報告が周期的報告又は準周期的報告である場合、報告する時のＰＵＣＣＨ又はＰＵＳＣＨのリソース構成とＣＳＩ報告情報に対応するダウンリンク測定時のリソース構成に基づき、ＣＳＩ基準リソースの報告時刻に対するタイムスロットオフセットを確定することを含むことを特徴とする
請求項１に記載の方法。
【請求項７】
ＣＳＩ報告構成情報に含まれるダウンリンク測定リソース構成、及びアップリンク報告リソース構成に基づき、タイムスロットオフセットを確定することは、
ＣＳＩ報告が非周期的報告である場合、ＣＳＩの計算時間に基づき、ＣＳＩ基準リソースの報告時刻に対するタイムスロットオフセットを取得することを含むことを特徴とする
請求項１に記載の方法。
【請求項８】
ＣＳＩ報告構成情報に含まれるダウンリンク測定リソース構成、及びアップリンク報告リソース構成に基づき、タイムスロットオフセットを確定することは、
端末の報告能力によって前記端末装置がサポートできるタイムスロットオフセットの値をネットワーク側に通知する場合、
ＣＳＩ報告が周期的報告又は準周期的報告である場合、報告する時のＰＵＣＣＨ又はＰＵＳＣＨのサブ搬送波間隔によって、ＣＳＩ基準リソースの報告時刻に対するタイムスロットオフセットを取得すること、
ＣＳＩ報告が周期的報告又は準周期的報告である場合、ＣＳＩ報告構成情報に対応するダウンリンク測定リソースのサブ搬送波間隔によってＣＳＩ基準リソースの報告時刻に対するタイムスロットオフセットを取得すること、
ＣＳＩ報告が周期的報告又は準周期的報告である場合、報告する時のＰＵＣＣＨ又はＰＵＳＣＨのリソース構成とＣＳＩ報告情報に対応するダウンリンク測定時のリソース構成の最小サブ搬送波間隔に基づき、ＣＳＩ基準リソースの報告時刻に対するタイムスロットオフセットを取得すること、
のうちのいずれかの一つに基づき、ＣＳＩ基準リソースの報告時刻に対するタイムスロットオフセットを確定することを含むことを特徴とする
請求項１に記載の方法。
【請求項９】
少なくとも前記タイムスロットオフセットに基づき、ＣＳＩ基準リソースの時間領域位置を確定することは、
報告する時刻のＰＵＣＣＨ又はＰＵＳＣＨの第一のアップリンクタイムスロットから前記タイムスロットオフセットを差し引いて第二のアップリンクタイムスロットを得て、前記第二のアップリンクタイムスロットに対応する第一のダウンリンクタイムスロットをＣＳＩ基準リソースの時間領域位置とすることを含むことを特徴とする
請求項４に記載の方法。
【請求項１０】
前記方法はさらに、
少なくとも２つの第一のダウンリンクタイムスロットが第一のアップリンクタイムスロットに対応する場合、時間的に最も前である第一のダウンリンクタイムスロットをＣＳＩ基準リソースの時間領域位置として選択することを含むことを特徴とする
請求項９に記載の方法。
【請求項１１】
前記方法はさらに、
少なくとも２つの第一のダウンリンクタイムスロットが第一のアップリンクタイムスロットに対応する場合、時間的に最も前である有効の第一のダウンリンクタイムスロットをＣＳＩ基準リソースの時間領域位置として選択することを含むことを特徴とする
請求項９に記載の方法。
【請求項１２】
前記方法はさらに、
少なくとも２つの第一のダウンリンクタイムスロットが第一のアップリンクタイムスロットに対応する場合、時間的に最後である第一のダウンリンクタイムスロットをＣＳＩ基準リソースの時間領域位置として選択することを含むことを特徴とする
請求項９に記載の方法。
【請求項１３】
前記方法はさらに、
少なくとも２つの第一のダウンリンクタイムスロットが第一のアップリンクタイムスロットに対応する場合、時間的に最後である有効の第一のダウンリンクタイムスロットをＣＳＩ基準リソースの時間領域位置として選択することを含むことを特徴とする
請求項９に記載の方法。
【請求項１４】
前記方法はさらに、
少なくとも２つの第一のダウンリンクタイムスロットが第一のアップリンクタイムスロットに対応する場合、第一のアップリンクタイムスロット及び前記タイムスロットオフセットに基づいて、ＣＳＩ基準リソースの時間領域位置を確定することを含むことを特徴とする
請求項９に記載の方法。
【請求項１５】
前記方法はさらに、
少なくとも２つの第一のダウンリンクタイムスロットが第一のアップリンクタイムスロットに対応する場合、
時間的に最も前である第一のダウンリンクタイムスロットをＣＳＩ基準リソースの時間領域位置として選択すること、
時間的に最も前である有効の第一のダウンリンクタイムスロットをＣＳＩ基準リソースの時間領域位置として選択すること、
時間的に最後である第一のダウンリンクタイムスロットをＣＳＩ基準リソースの時間領域位置として選択すること、
時間的に最後である有効の第一のダウンリンクタイムスロットをＣＳＩ基準リソースの時間領域位置として選択すること、
のうちの少なくとも１つに基づいて、対応するダウンリンクタイムスロットを少なくとも２つの帯域幅部分（ＢＷＰ）のＣＳＩ基準リソースの時間領域位置として選択することを含む、ことを特徴とする
請求項９に記載の方法。
【請求項１６】
前記方法はさらに、
報告する時刻のＰＵＣＣＨ又はＰＵＳＣＨの第一のアップリンクタイムスロットに対応する第二のダウンリンクタイムスロットを確定することと、
前記第二のダウンリンクタイムスロットから前記タイムスロットオフセットを差し引いて得られた第三のダウンリンクタイムスロットを、ＣＳＩ基準リソースの時間領域位置とすることとを含むことを特徴とする
請求項５に記載の方法。
【請求項１７】
前記方法はさらに、
少なくとも２つの第二のダウンリンクタイムスロットが第一のアップリンクタイムスロットに対応する場合、１番前の第二のダウンリンクタイムスロットを選択して、第三のダウンリンクタイムスロットを計算するためのものとすることを含むことを特徴とする
請求項１６に記載の方法。
【請求項１８】
前記方法はさらに、
少なくとも２つの第二のダウンリンクタイムスロットが第一のアップリンクタイムスロットに対応する場合、最後の第二のダウンリンクタイムスロットを選択して、第三のダウンリンクタイムスロットを計算するためのものとすることをさらに含むことを特徴とする
請求項１６に記載の方法。
【請求項１９】
前記方法はさらに、
少なくとも２つの第二のダウンリンクタイムスロットが第一のアップリンクタイムスロットに対応する場合、前記第一のアップリンクタイムスロット及び前記タイムスロットオフセットに基づいて、ＣＳＩ基準リソースの時間領域位置を確定することを含むことを特徴とする
請求項１６に記載の方法。
【請求項２０】
前記方法はさらに、
前記タイムスロットオフセットに対応するサブ搬送波間隔がダウンリンクサブ搬送波間隔であるか、其れともアップリンクサブ搬送波間隔であるか否かを判定し、ダウンリンクサブ搬送波間隔である場合、
前記第一のアップリンクタイムスロット及び前記タイムスロットオフセットに基づいて、ＣＳＩ基準リソースの時間領域位置を確定すること、
時間的に最も前である第一のダウンリンクタイムスロットをＣＳＩ基準リソースの時間領域位置として選択すること、
時間的に最も前である有効の第一のダウンリンクタイムスロットをＣＳＩ基準リソースの時間領域位置として選択すること、
時間的に最後である第一のダウンリンクタイムスロットをＣＳＩ基準リソースの時間領域位置として選択すること、
時間的に最後である有効の第一のダウンリンクタイムスロットをＣＳＩ基準リソースの時間領域位置として選択すること、
のうちの一つに基づいて、ＣＳＩ基準リソースの時間領域位置を確定することを含む、ことを特徴とする
請求項６に記載の方法。
【請求項２１】
前記方法はさらに、
前記タイムスロットオフセットに対応するサブ搬送波間隔がダウンリンクサブ搬送波間隔であるか、其れともアップリンクサブ搬送波間隔であるか否かを判定し、アップリンクサブ搬送波間隔である場合、時間的に最も前である第一のダウンリンクタイムスロットをＣＳＩ基準リソースの時間領域位置として選択することを含むことを特徴とする
請求項６に記載の方法。
【請求項２２】
前記方法はさらに、
確定されたＣＳＩ基準リソースの時間領域位置に基づき、ＣＳＩを計算してＰＵＣＣＨ又はＰＵＳＣＨリソースによって報告することを含むことを特徴とする
請求項１−２１のいずれか一項に記載の方法。
【請求項２３】
ネットワーク装置に適用されるリソース位置の確定方法であって、
端末装置へ少なくとも１つの第一の情報を送信することを含み、前記第一の情報に少なくともＣＳＩ報告構成情報が含まれ、前記ＣＳＩ報告構成情報が、ダウンリンク測定リソース構成、及びアップリンク報告リソース構成を少なくとも含む、リソース位置の確定方法。
【請求項２４】
前記ＣＳＩ報告構成情報は、ＣＳＩ報告が周期的報告、又は準周期的報告、又は非周期的報告であることをさらに含み、
前記ＣＳＩ報告構成情報に含まれるダウンリンク測定リソース構成は、ＣＳＩ報告に対応する測定リソースの構成を含み、
前記ＣＳＩ報告構成情報に含まれるアップリンク報告リソース構成は、報告する時のＰＵＣＣＨのリソース構成、及び／又は、報告する時のＰＵＳＣＨリソース構成を含むことを特徴とする
請求項２３に記載の方法。
【請求項２５】
端末装置であって、第一の処理ユニットを備え、
前記第一の処理ユニットが、ＣＳＩ報告構成情報に含まれるダウンリンク測定リソース構成、及びアップリンク報告リソース構成に基づき、タイムスロットオフセットを確定し、少なくとも前記タイムスロットオフセットに基づき、ＣＳＩ基準リソースの時間領域位置を確定するように構成され、前記タイムスロットオフセットが、ＣＳＩ基準リソースの報告時刻に対するタイムスロットオフセットを表す、端末装置。
【請求項２６】
前記端末装置はさらに、
ネットワーク側から送信された第一の情報を受信するように構成される第一の通信ユニットを備え、
前記第一の処理ユニットは、前記第一の情報に基づき、少なくとも１つのＣＳＩ報告構成情報を取得することを特徴とする
請求項２５に記載の端末装置。
【請求項２７】
前記ＣＳＩ報告構成情報はさらに周期的報告、又は準周期的報告、又は非周期的報告を含み、
前記ＣＳＩ報告構成情報に含まれるダウンリンク測定リソース構成は、ＣＳＩ報告に対応する測定リソースの構成を含み、
前記ＣＳＩ報告構成情報に含まれるアップリンク報告リソース構成は、報告する時のＰＵＣＣＨのリソース構成、及び／又は、報告する時のＰＵＳＣＨリソース構成を含むことを特徴とする
請求項２５に記載の端末装置。
【請求項２８】
前記第一の処理ユニットは、ＣＳＩ報告が周期的報告又は準周期的報告である場合、報告する時のＰＵＣＣＨ又はＰＵＳＣＨのリソース構成に基づき、ＣＳＩ基準リソースの報告時刻に対するタイムスロットオフセットを確定することを特徴とする
請求項２５に記載の端末装置。
【請求項２９】
前記第一の処理ユニットは、ＣＳＩ報告が周期的報告又は準周期的報告である場合、ＣＳＩ報告構成情報に対応するダウンリンク測定リソースのリソース構成に基づき、ＣＳＩ基準リソースの報告時刻に対するタイムスロットオフセットを確定することを特徴とする
請求項２５に記載の端末装置。
【請求項３０】
前記第一の処理ユニットは、ＣＳＩ報告が周期的報告又は準周期的報告である場合、報告する時のＰＵＣＣＨ又はＰＵＳＣＨのリソース構成とＣＳＩ報告情報に対応するダウンリンク測定時のリソース構成に基づき、ＣＳＩ基準リソースの報告時刻に対するタイムスロットオフセットを確定することを特徴とする
請求項２５に記載の端末装置。
【請求項３１】
前記第一の処理ユニットは、ＣＳＩ報告が非周期的報告である場合、ＣＳＩの計算時間に基づき、ＣＳＩ基準リソースの報告時刻に対するタイムスロットオフセットを取得することを特徴とする
請求項２５に記載の端末装置。
【請求項３２】
前記第一の処理ユニットは、端末の報告能力によって前記端末装置がサポートできるタイムスロットオフセットの値をネットワーク側に通知する場合、
ＣＳＩ報告が周期的報告又は準周期的報告である場合、報告する時のＰＵＣＣＨ又はＰＵＳＣＨのサブ搬送波間隔によって、ＣＳＩ基準リソースの報告時刻に対するタイムスロットオフセットを取得すること、
ＣＳＩ報告が周期的報告又は準周期的報告である場合、ＣＳＩ報告構成情報に対応するダウンリンク測定リソースのサブ搬送波間隔によってＣＳＩ基準リソースの報告時刻に対するタイムスロットオフセットを取得すること、
ＣＳＩ報告が周期的報告又は準周期的報告である場合、報告する時のＰＵＣＣＨ又はＰＵＳＣＨのリソース構成とＣＳＩ報告情報に対応するダウンリンク測定時のリソース構成の最小サブ搬送波間隔に基づき、ＣＳＩ基準リソースの報告時刻に対するタイムスロットオフセットを取得すること、
のうちのいずれかの一つに基づき、ＣＳＩ基準リソースの報告時刻に対するタイムスロットオフセットを確定することを特徴とする
請求項２５に記載の端末装置。
【請求項３３】
前記第一の処理ユニットは、報告する時刻のＰＵＣＣＨ又はＰＵＳＣＨの第一のアップリンクタイムスロットから前記タイムスロットオフセットを差し引いて第二のアップリンクタイムスロットを得て、前記第二のアップリンクタイムスロットに対応する第一のダウンリンクタイムスロットをＣＳＩ基準リソースの時間領域位置とすることを特徴とする
請求項２８に記載の端末装置。
【請求項３４】
前記第一の処理ユニットは、少なくとも２つの第一のダウンリンクタイムスロットが第一のアップリンクタイムスロットに対応する場合、時間的に最も前である第一のダウンリンクタイムスロットをＣＳＩ基準リソースの時間領域位置として選択することを特徴とする
請求項３３に記載の端末装置。
【請求項３５】
前記第一の処理ユニットは、少なくとも２つの第一のダウンリンクタイムスロットが第一のアップリンクタイムスロットに対応する場合、時間的に最も前である有効の第一のダウンリンクタイムスロットをＣＳＩ基準リソースの時間領域位置として選択することを特徴とする
請求項３３に記載の端末装置。
【請求項３６】
前記第一の処理ユニットは、少なくとも２つの第一のダウンリンクタイムスロットが第一のアップリンクタイムスロットに対応する場合、時間的に最後である第一のダウンリンクタイムスロットをＣＳＩ基準リソースの時間領域位置として選択することを特徴とする
請求項３３に記載の端末装置。
【請求項３７】
前記第一の処理ユニットは、少なくとも２つの第一のダウンリンクタイムスロットが第一のアップリンクタイムスロットに対応する場合、時間的に最後である有効の第一のダウンリンクタイムスロットをＣＳＩ基準リソースの時間領域位置として選択することを特徴とする
請求項３３に記載の端末装置。
【請求項３８】
前記第一の処理ユニットは、少なくとも２つの第一のダウンリンクタイムスロットが第一のアップリンクタイムスロットに対応する場合、前記第一のアップリンクタイムスロット及び前記タイムスロットオフセットに基づいて、ＣＳＩ基準リソースの時間領域位置を確定することを特徴とする
請求項３３に記載の端末装置。
【請求項３９】
前記第一の処理ユニットは、少なくとも２つの第一のダウンリンクタイムスロットが第一のアップリンクタイムスロットに対応する場合、
時間的に最も前である第一のダウンリンクタイムスロットをＣＳＩ基準リソースの時間領域位置として選択すること、
時間的に最も前である有効の第一のダウンリンクタイムスロットをＣＳＩ基準リソースの時間領域位置として選択すること、
時間的に最後である第一のダウンリンクタイムスロットをＣＳＩ基準リソースの時間領域位置として選択すること、
時間的に最後である有効の第一のダウンリンクタイムスロットをＣＳＩ基準リソースの時間領域位置として選択すること、
のうちの少なくとも１つに基づいて、対応するダウンリンクタイムスロットを少なくとも２つの帯域幅部分（ＢＷＰ）のＣＳＩ基準リソースの時間領域位置として選択することを特徴とする
請求項３３に記載の端末装置。
【請求項４０】
前記第一の処理ユニットは、報告する時刻のＰＵＣＣＨ又はＰＵＳＣＨの第一のアップリンクタイムスロットに対応する第二のダウンリンクタイムスロットを確定し、前記第二のダウンリンクタイムスロットから前記タイムスロットオフセットを差し引いて得られた第三のダウンリンクタイムスロットを、ＣＳＩ基準リソースの時間領域位置とすることを特徴とする
請求項２９に記載の端末装置。
【請求項４１】
前記第一の処理ユニットは、少なくとも２つの第二のダウンリンクタイムスロットが第一のアップリンクタイムスロットに対応する場合、１番前の第二のダウンリンクタイムスロットを選択して、第三のダウンリンクタイムスロットを計算するためのものとすることを特徴とする
請求項４０に記載の端末装置。
【請求項４２】
前記第一の処理ユニットは、少なくとも２つの第二のダウンリンクタイムスロットが第一のアップリンクタイムスロットに対応する場合、最後の第二のダウンリンクタイムスロットを選択して、第三のダウンリンクタイムスロットを計算するためのものとすることを特徴とする
請求項４０に記載の端末装置。
【請求項４３】
前記第一の処理ユニットは、少なくとも２つの第二のダウンリンクタイムスロットが第一のアップリンクタイムスロットに対応する場合、前記第一のアップリンクタイムスロット及び前記タイムスロットオフセットに基づいて、ＣＳＩ基準リソースの時間領域位置を確定することを特徴とする
請求項４０に記載の端末装置。
【請求項４４】
前記第一の処理ユニットは、前記タイムスロットオフセットに対応するサブ搬送波間隔がダウンリンクサブ搬送波間隔であるか、其れともアップリンクサブ搬送波間隔であるか否かを判定し、ダウンリンクサブ搬送波間隔である場合、
前記第一のアップリンクタイムスロット及び前記タイムスロットオフセットに基づいて、ＣＳＩ基準リソースの時間領域位置を確定すること、
時間的に最も前である第一のダウンリンクタイムスロットをＣＳＩ基準リソースの時間領域位置として選択すること、
時間的に最も前である有効の第一のダウンリンクタイムスロットをＣＳＩ基準リソースの時間領域位置として選択すること、
時間的に最後である第一のダウンリンクタイムスロットをＣＳＩ基準リソースの時間領域位置として選択すること、
時間的に最後である有効の第一のダウンリンクタイムスロットをＣＳＩ基準リソースの時間領域位置として選択する
のうちの一つに基づいて、ＣＳＩ基準リソースの時間領域位置を計算することを特徴とする
請求項４０に記載の端末装置。
【請求項４５】
前記第一の処理ユニットは、前記タイムスロットオフセットに対応するサブ搬送波間隔がダウンリンクサブ搬送波間隔であるか、其れともアップリンクサブ搬送波間隔であるか否かを判定し、アップリンクサブ搬送波間隔である場合、時間的に最も前である第一のダウンリンクタイムスロットをＣＳＩ基準リソースの時間領域位置として選択することを特徴とする
請求項４０に記載の端末装置。
【請求項４６】
前記第一の処理ユニットは、確定されたＣＳＩ基準リソースの時間領域位置に基づき、ＣＳＩを計算してＰＵＣＣＨ又はＰＵＳＣＨリソースによって報告することを特徴とする
請求項２５−４５のいずれか一項に記載の端末装置。
【請求項４７】
ネットワーク装置であって、
端末装置へ少なくとも１つの第一の情報を送信するように構成されれる第二の通信ユニットを備え、前記第一の情報に少なくともＣＳＩ報告構成情報が含まれ、前記ＣＳＩ報告構成情報が、ダウンリンク測定リソース構成、及びアップリンク報告リソース構成を少なくとも含む、ネットワーク装置。
【請求項４８】
前記ＣＳＩ報告構成情報は、ＣＳＩ報告が周期的報告、又は準周期的報告、又は非周期的報告であることをさらに含み、
前記ＣＳＩ報告構成情報に含まれるダウンリンク測定リソース構成は、ＣＳＩ報告に対応する測定リソースの構成を含み、
前記ＣＳＩ報告構成情報に含まれるアップリンク報告リソース構成は、報告する時のＰＵＣＣＨのリソース構成、及び／又は、報告する時のＰＵＳＣＨリソース構成を含むことを特徴とする
請求項４７に記載のネットワーク装置。
【請求項４９】
端末装置であって、プロセッサと、プロセッサで実行可能なコンピュータプログラムを記憶するためのメモリとを備え、
ここで、前記プロセッサが前記コンピュータプログラムを実行する時に、請求項１−２２のいずれか一項に記載される方法のステップを実行するように構成される、端末装置。
【請求項５０】
ネットワーク装置であって、プロセッサと、プロセッサで実行可能なコンピュータプログラムを記憶するためのメモリとを備え、
ここで、前記プロセッサが前記コンピュータプログラムを実行する時に、請求項２３又は２４に記載される方法のステップを実行するように構成される、ネットワーク装置。
【請求項５１】
コンピュータ記憶媒体であって、コンピュータ実行可能命令を記憶し、前記コンピュータ実行可能命令が実行される時に、請求項１−２４のいずれか一項に記載される方法のステップを実現する、コンピュータ記憶媒体。
【発明の詳細な説明】
【技術分野】
【０００１】
本発明は、情報処理技術分野に関し、特にリソース位置の確定方法、端末装置、ネットワーク装置及びコンピュータ記憶媒体に関する。
【背景技術】
【０００２】
ＮＲにおいて、異なるｎｕｍｅｒｏｌｏｇｙ（パラメーターセット）が取り込まれており、異なるｎｕｍｅｒｏｌｏｇｙは、周波数領域におけるサブ搬送波間隔が異なり、時間領域における各タイムスロット（ｓｌｏｔ）の時間長も異なる。アップリンク及びダウンリンクで異なるｎｕｍｅｒｏｌｏｇｙが採用された場合、アップリンク及びダウンリンクのタイムスロット（ｓｌｏｔ）の数は異なる。チャネル状態情報（ＣＳＩ：Ｃｈａｎｎｅｌ  Ｓｔａｔｅ  Ｉｎｆｏｒｍａｔｉｏｎ）の報告は、１つのＣＳＩ基準リソース（ｒｅｆｅｒｅｎｃｅ  ｒｅｓｏｕｒｃｅ）に基づいて参照する必要があり、そしてＣＳＩ基準リソースの位置が、報告時刻とｎＣＱＩ＿ｒｅｆ（つまり、ＣＳＩ基準リソースの報告時刻に対するタイムスロットオフセット）によって共同で決定される。
【０００３】
現在、標準において、異なるｎｕｍｅｒｏｌｏｇｙにおけるｎＣＱＩ＿ｒｅｆの値のみが示されるが、このｎｕｍｅｒｏｌｏｇｙが、アップリンク報告のｎｕｍｅｒｏｌｏｇｙに基づいて決定されるか、其れともダウンリンク測定のｎｕｍｅｒｏｌｏｇｙに基づいて決定されるかは示されていない。また、アップリンク及びダウンリンクで異なるｎｕｍｅｒｏｌｏｇｙが採用された場合、報告時刻とｎＣＱＩ＿ｒｅｆに基づいて複数のダウンリンクサブフレームを得る可能性があり、そのため、どのダウンリンクサブフレームがＣＳＩ基準リソースであるかを確定するかのは解決すべき問題である。
【発明の概要】
【発明が解決しようとする課題】
【０００４】
上記技術的問題を解決するために、本発明の実施例はリソース位置の確定方法、端末装置、ネットワーク装置及びコンピュータ記憶媒体を提供する。
【課題を解決するための手段】
【０００５】
本発明の実施例による端末装置に適用されるリソース位置の確定方法は、
ＣＳＩ報告構成情報に含まれるダウンリンク測定リソース構成、及びアップリンク報告リソース構成に基づき、タイムスロットオフセットを確定することであって、前記タイムスロットオフセットが、ＣＳＩ基準リソースの報告時刻に対するタイムスロットオフセットを表すことと、
少なくとも前記タイムスロットオフセットに基づき、ＣＳＩ基準リソースの時間領域位置を確定することとを含む。
【０００６】
本発明の実施例によるネットワーク装置に適用されるリソース位置の確定方法は、
端末装置へ少なくとも１つの第一の情報を送信することと、前記第一の情報に、ダウンリンク測定リソース構成とアップリンク報告リソース構成を少なくとも含むＣＳＩ報告構成情報を少なくとも含ませることを含む。
【０００７】
本発明の実施例による端末装置は、
ＣＳＩ報告構成情報に含まれるダウンリンク測定リソース構成、及びアップリンク報告リソース構成に基づき、ＣＳＩ基準リソースの報告時刻に対するタイムスロットオフセットを表すためのタイムスロットオフセットを確定し、少なくとも前記タイムスロットオフセットに基づき、ＣＳＩ基準リソースの時間領域位置を確定するように構成される第一の処理ユニットを備える。
【０００８】
本発明の実施例によるネットワーク装置は、
端末装置へ少なくとも１つの第一の情報を送信し、前記第一の情報に、ダウンリンク測定リソース構成とアップリンク報告リソース構成を少なくとも含むＣＳＩ報告構成情報を少なくとも含ませるように構成される第二の通信ユニットを備える。
【０００９】
本発明の実施例による端末装置は、プロセッサと、プロセッサで実行可能なコンピュータプログラムを記憶するためのメモリとを備え、
ここで、前記プロセッサが前記コンピュータプログラムを実行する時に、前記方法のステップを実行するように構成される。
【００１０】
本発明の実施例によるネットワーク装置はプロセッサと、プロセッサで実行可能なコンピュータプログラムを記憶するように構成されるメモリとを備え、
ここで、前記プロセッサが前記コンピュータプログラムを実行する時に、前記方法のステップを実行するように構成される。
【００１１】
本発明の実施例によるコンピュータ記憶媒体は、コンピュータ実行可能命令を記憶し、前記コンピュータ実行可能命令が実行される時に、前記方法のステップを実現する。
【発明の効果】
【００１２】
本発明の実施例の技術的技術案により、端末装置は、ＣＳＩ報告構成情報に含まれるダウンリンク測定リソース構成及びアップリンク報告リソース構成により、ＣＳＩ基準リソースの報告時刻に対するタイムスロットオフセットの値を取得し、さらにタイムスロットオフセットに基づいてＣＳＩ基準リソースの時間領域位置を確定することができ、これにより、ＣＳＩの計算を正確に行うことが保証され、システム効率が向上する。
【図面の簡単な説明】
【００１３】
【図１】本発明の実施例によるリソース位置の確定方法のフローチャートである。
【図２】本発明の実施例による端末装置の構成構造図である。
【図３】本発明の実施例によるハードウェアアーキテクチャ図で
【発明を実施するための形態】
【００１４】
本発明の実施例の特徴と技術的内容をより詳しく理解することができるために、以下に図面と組み合わせて本発明の実施例の実現を詳しく説明し、添付の図面が例示のみを目的としており、本発明の実施例を限定することに用いられない。
【００１５】
実施例１、
本発明の実施例による端末装置に適用されるリソース位置の確定方法は、図１に示すように、下記のステップを含む、
ステップ１０１において、ＣＳＩ報告構成情報に含まれるダウンリンク測定リソース構成、及びアップリンク報告リソース構成に基づき、タイムスロットオフセットを確定し、前記タイムスロットオフセットが、ＣＳＩ基準リソースの報告時刻に対するタイムスロットオフセットを表す。
【００１６】
ステップ１０２において、少なくとも前記タイムスロットオフセットに基づき、ＣＳＩ基準リソースの時間領域位置を確定する。
【００１７】
ステップ１０１を実行する前に、前記方法はさらに、
ネットワーク側から送信された第一の情報を受信することと、前記第一の情報に基づき、少なくとも１つのＣＳＩ報告構成情報を取得することとを含む。
【００１８】
具体的には、前記ＣＳＩ報告構成情報はさらに周期的報告、又は準周期的ＣＳＩ報告、又は非周期的ＣＳＩ報告を含み、
前記ＣＳＩ報告構成情報に含まれるダウンリンク測定リソース構成は、ＣＳＩ報告に対応する測定リソースの構成を含み、
前記ＣＳＩ報告構成情報に含まれるアップリンク報告リソース構成は、報告する時のＰＵＣＣＨのリソース構成、及び／又は、報告する時のＰＵＳＣＨリソース構成を含む。
【００１９】
前記ＰＵＣＣＨのリソース構成がＰＵＣＣＨを介して報告する時のサブ搬送波間隔であってもよく、ＰＵＳＣＨのリソース構成がＰＵＳＣＨを介して報告する時のサブ搬送波間隔であってもよい。当然、ＰＵＣＣＨ又はＰＵＳＣＨのリソース配置はさらに他のパラメーターを含むことができるが、本実施例で網羅的に挙げられない。
【００２０】
上記ステップ１０１において、ＣＳＩ報告構成に含まれるダウンリンク測定リソース構成、及びアップリンク報告リソース構成に基づき、タイムスロットオフセットを確定することは、以下のいくつかの具体的な処理方式を含むことができる。
【００２１】
方式１において、ＣＳＩ報告が周期的報告又は準周期的報告である場合、報告する時のＰＵＣＣＨ又はＰＵＳＣＨのリソース構成に基づき、ＣＳＩ基準リソースの報告時刻に対するタイムスロットオフセットを確定する。
【００２２】
具体的には、周期的報告又は準周期的報告である場合、報告する時のＰＵＣＣＨ又はＰＵＳＣＨのリソース構成のサブ搬送波間隔によって、テーブル検索してｎＣＱＩ＿ｒｅｆ（ＣＳＩ基準リソースの報告時刻に対するタイムスロットオフセット）の値を得る。
【００２３】
ここで、テーブル検索操作における対応するテーブルは、予め設定されたサブ搬送波間隔とタイムスロットオフセットに対応する第一のテーブルであってもよい。
【００２４】
説明すべきこととして、報告する時のＰＵＣＣＨ又はＰＵＳＣＨのリソース構成に基づき、ＣＳＩ基準リソースの報告時刻に対するタイムスロットオフセットを確定する方式について、上記のテーブル検索以外、他の処理方法が存在してもよく、例えば、予め設定された対応関係によって確定することができ、例えば、ＰＵＳＣＨ又はＰＵＣＣＨに対応するサブ搬送波間隔１がタイムスロットオフセット１に対応し、サブ搬送波間隔２がタイムスロットオフセット２に対応するように予め設定される。また、予め設定された計算式に基づいて計算することもでき、例えば、サブ搬送波間隔とタイムスロットオフセットとの対応関係に応じて、計算式を設定し、異なるサブ搬送波間隔と対応するパラメーターとに基づいて、タイムスロットオフセットを計算することができ、ここで、設定された計算式が実際の状況に応じて設定されてもよい。
【００２５】
方式２において、ＣＳＩ報告が周期的報告又は準周期的報告である場合、ＣＳＩ報告構成情報に対応するダウンリンク測定リソースのリソース構成に基づき、ＣＳＩ基準リソースの報告時刻に対するタイムスロットオフセットを確定する。
【００２６】
具体的には、周期的報告又は準周期的報告である場合、該ＣＳＩ報告に対応するダウンリンク測定リソースのサブ搬送波間隔によって、テーブル検索してｎＣＱＩ＿ｒｅｆの値を取得する。
【００２７】
つまり、本方式では、ダウンリンク測定リソースのリソース構成はさらにサブ搬送波間隔を含むことができる。
【００２８】
同様に、本方式におけるテーブル検索の処理方式は置き換えられてもよく、具体的な置き換え処理が方式１と同じであり、ここで説明を省略する。
【００２９】
方式３において、ＣＳＩ報告が周期的報告又は準周期的報告である場合、報告する時のＰＵＣＣＨ又はＰＵＳＣＨのリソース構成及びＣＳＩ報告情報に対応するダウンリンク測定時のリソース構成に基づき、ＣＳＩ基準リソースの報告時刻に対するタイムスロットオフセットを確定する。
【００３０】
具体的には、ＣＳＩ報告が周期的報告又は準周期的報告である場合、報告する時のＰＵＣＣＨ又はＰＵＳＣＨのリソース構成及びＣＳＩ報告情報に対応するダウンリンク測定時のリソース構成のうちの最小又は最大のサブ搬送波間隔に基づき、ＣＳＩ基準リソースの報告時刻に対するタイムスロットオフセットを得ることができる。
【００３１】
例えば、報告する時のＰＵＣＣＨ又はＰＵＳＣＨとＣＳＩ報告に対応するダウンリンク測定リソースの最小又は最大のサブ搬送波間隔によって、テーブル検索してｎＣＱＩ＿ｒｅｆの値を得ることができる。同様に、本方式におけるテーブル検索の処理方式は置き換えられてもよく、具体的な置き換え処理が方式１と同じであり、ここで説明を省略する。
【００３２】
方式４において、ＣＳＩ報告が非周期的報告である場合、ＣＳＩの計算時間に基づいて、ＣＳＩ基準リソースの報告時刻に対するタイムスロットオフセットを取得する。
【００３３】
例えば、ＰＵＳＣＨ（又はＰＵＣＣＨ）を介して報告する時に、非周期的ＣＳＩをＰＵＳＣＨを介して報告する場合、Ｚ’（つまり、非周期的ＣＳＩ報告のためのＣＳＩの計算時間）によってｎＣＱＩ＿ｒｅｆの値を取得する。
【００３４】
ここで、Ｚ’は、端末がＣＳＩを測定するためのＣＳＩ−ＲＳ又はＣＳＩ−ＩＭのより後ろの最後の一つのシンボルから、ＰＵＳＣＨを介して報告する時までの必要なシンボル数で表すことができる。
【００３５】
方式５において、端末の報告能力によって前記端末装置がサポートできるタイムスロットオフセットの値をネットワーク側に通知する場合、
ＣＳＩ報告が周期的報告又は準周期的報告である場合、報告する時のＰＵＣＣＨ又はＰＵＳＣＨのサブ搬送波間隔によって、ＣＳＩ基準リソースの報告時刻に対するタイムスロットオフセットを取得すること、
ＣＳＩ報告が周期的報告又は準周期的報告である場合、ＣＳＩ報告構成情報に対応するダウンリンク測定リソースのサブ搬送波間隔によってＣＳＩ基準リソースの報告時刻に対するタイムスロットオフセットを取得すること、
ＣＳＩ報告が周期的報告又は準周期的報告である場合、報告する時のＰＵＣＣＨ又はＰＵＳＣＨのリソース構成とＣＳＩ報告情報に対応するダウンリンク測定時のリソース構成のうちの最小又は最大のサブ搬送波間隔に基づき、ＣＳＩ基準リソースの報告時刻に対するタイムスロットオフセットを取得すること、
のうちのいずれかの一つに基づき、ＣＳＩ基準リソースの報告時刻に対するタイムスロットオフセットを確定する。
【００３６】
具体的には、端末の報告能力によって該端末がサポートできるｎＣＱＩ＿ｒｅｆの値を基地局に通知することができ、端末は上記方式１、方式２、方式３のいずれかの１つの方式に従ってテーブル検索してｎＣＱＩ＿ｒｅｆの値を得る。
【００３７】
同様に、本方式におけるテーブル検索の処理方式は置き換えられてもよく、具体的な置き換え処理が方式１と同じであり、ここで説明を省略する。
【００３８】
上記技術案の説明に基づき、ステップ１０２において、少なくとも前記タイムスロットオフセットに基づき、ＣＳＩ基準リソースの時間領域位置を確定し、即ち、端末が、報告する時刻のＰＵＣＣＨ又はＰＵＳＣＨのｓｌｏｔ  ｎ（第一のタイムスロット）及びｎＣＱＩ＿ｒｅｆに基づいて、ＣＳＩ基準リソース（ｒｅｆｅｒｅｎｃｅ  ｒｅｓｏｕｒｃｅ）の時間領域位置を確定することは、以下の複数の処理シーンを含むことができる。
【００３９】
シーン１において、報告する時刻のＰＵＣＣＨ又はＰＵＳＣＨの第一のアップリンクタイムスロットから前記タイムスロットオフセットを差し引いて第二のアップリンクタイムスロットを得て、前記第二のアップリンクタイムスロットに対応する第一のダウンリンクタイムスロットをＣＳＩ基準リソースの時間領域位置とする。
【００４０】
具体的には、上記方式１で処理してタイムスロットオフセットを得る時に、まずｓｌｏｔ  ｎ（第一のアップリンクタイムスロット）の前のｎ番目のｎＣＱＩ＿ｒｅｆ、即ちｎ−ｎＣＱＩ＿ｒｅｆが位置するｓｌｏｔを得て、次に該タイムスロットに対応するダウンリンクｓｌｏｔを得る。
【００４１】
さらに、少なくとも２つの第一のダウンリンクタイムスロットが第一のアップリンクタイムスロットに対応する場合、時間的に最も前である第一のダウンリンクタイムスロットをＣＳＩ基準リソースの時間領域位置として選択する。つまり、複数の第一のダウンリンクタイムスロットが該アップリンクタイムスロットに対応する場合、時間的に最も前であるタイムスロットをＣＳＩ基準リソースの時間領域位置として選択する。
【００４２】
又は、少なくとも２つの第一のダウンリンクタイムスロットが第一のアップリンクタイムスロットに対応する場合、時間的に最も前である有効の第一のダウンリンクタイムスロットをＣＳＩ基準リソースの時間領域位置として選択する。つまり、このような複数の第一のダウンリンクタイムスロットが該第一のアップリンクタイムスロットに対応する場合、時間的に最も前である有効のタイムスロットをＣＳＩ基準リソースの時間領域位置として選択する。
【００４３】
又は、少なくとも２つの第一のダウンリンクタイムスロットが第一のアップリンクタイムスロットに対応する場合、時間的に最後である第一のダウンリンクタイムスロットをＣＳＩ基準リソースの時間領域位置として選択する。
【００４４】
つまり、このような複数の第一のダウンリンクタイムスロットが該第一のアップリンクタイムスロットに対応する場合、時間的に最後であるタイムスロットをＣＳＩ基準リソースの時間領域位置として選択する。
【００４５】
又は、少なくとも２つの第一のダウンリンクタイムスロットが第一のアップリンクタイムスロットに対応する場合、時間的に最後である有効の第一のダウンリンクタイムスロットをＣＳＩ基準リソースの時間領域位置として選択する。
【００４６】
つまり、このような複数の第一のダウンリンクタイムスロットが該第一のアップリンクタイムスロットに対応する場合、時間的に最後である有効のダウンリンクタイムスロットをＣＳＩ基準リソースの時間領域位置として選択する。
【００４７】
又は、少なくとも２つの第一のダウンリンクタイムスロットが第一のアップリンクタイムスロットに対応する場合、前記第一のアップリンクタイムスロット及び前記タイムスロットオフセットに基づいて、ＣＳＩ基準リソースの時間領域位置を確定する。
【００４８】
又は、このような複数の第一のダウンリンクタイムスロットが第一のアップリンクタイムスロットに対応する場合、予め設定された計算式、第一のアップリンクタイムスロット、及びタイムスロットオフセットに基づいて、ＣＳＩ基準リソースの時間領域位置を計算することができる。
【００４９】
又は、少なくとも２つの第一のダウンリンクタイムスロットが第一のアップリンクタイムスロットに対応する場合、
時間的に最も前である第一のダウンリンクタイムスロットをＣＳＩ基準リソースの時間領域位置として選択すること、
時間的に最も前である有効の第一のダウンリンクタイムスロットをＣＳＩ基準リソースの時間領域位置として選択すること、
時間的に最後である第一のダウンリンクタイムスロットをＣＳＩ基準リソースの時間領域位置として選択すること、
時間的に最後である有効の第一のダウンリンクタイムスロットをＣＳＩ基準リソースの時間領域位置として選択すること、
のうちのいずれかの方式に基づいて、対応するダウンリンクタイムスロットを少なくとも２つの帯域幅部分（ＢＷＰ）のＣＳＩ基準リソースの時間領域位置として選択する。
【００５０】
つまり、複数のダウンリンクタイムスロットが該アップリンクタイムスロットに対応する場合、それぞれ上記の４つの方式に従って対応するダウンリンクタイムスロットをＣＳＩ基準リソースの時間領域位置として選択する。上記の４つの方式のうち少なくとも１つを用いることができる。
【００５１】
シーン２において、報告する時刻のＰＵＣＣＨ又はＰＵＳＣＨの第一のアップリンクタイムスロットに対応する第二のダウンリンクタイムスロットを確定し、前記第二のダウンリンクタイムスロットから前記タイムスロットオフセットを差し引いて得られた第三のダウンリンクタイムスロットをＣＳＩ基準リソースの時間領域位置とする。
【００５２】
つまり、上記方式２を用いてタイムスロットオフセットを得る時に、まずｓｌｏｔ  ｎ（第一のアップリンクタイムスロット）に対応するダウンリンクｓｌｏｔ  ｎ’（第二のダウンリンクタイムスロット）を得て、ダウンリンクｓｌｏｔ  ｎ’（第二のダウンリンクタイムスロット）の前のｎＣＱＩ＿ｒｅｆが位置するタイムスロット、つまりｎ’−ｎＣＱＩ＿ｒｅｆをＣＳＩ基準リソースの時間領域位置として選択する。
【００５３】
さらに、少なくとも２つの第二のダウンリンクタイムスロットが第一のアップリンクタイムスロットに対応する場合、１番前の第二のダウンリンクタイムスロットを選択して、第三のダウンリンクタイムスロットを計算するためのものとする。
【００５４】
つまり、複数のダウンリンクｓｌｏｔ  ｎ’（第二のダウンリンクタイムスロット）がアップリンクｓｌｏｔ  ｎ（第一のアップリンクタイムスロット）に対応する場合、１番前のダウンリンクｓｌｏｔ  ｎ’を選択してＣＳＩ基準リソースを計算するためのものとする。
【００５５】
又は、少なくとも２つの第二のダウンリンクタイムスロットが第一のアップリンクタイムスロットに対応する場合、最後の第二のダウンリンクタイムスロットを選択して、第三のダウンリンクタイムスロットを計算するためのものとする。
【００５６】
つまり、複数のダウンリンクｓｌｏｔ  ｎ’（第二のダウンリンクタイムスロット）がアップリンクｓｌｏｔ  ｎ（第一のアップリンクタイムスロット）に対応する場合、最後のダウンリンクｓｌｏｔ  ｎ’を選択して、第三のダウンリンクタイムスロットを計算するためのものとし、それによってＣＳＩ基準リソースを確定する。
【００５７】
又は、少なくとも２つの第二のダウンリンクタイムスロットが第一のアップリンクタイムスロットに対応する場合、前記第一のアップリンクタイムスロット及び前記タイムスロットオフセットに基づいて、ＣＳＩ基準リソースの時間領域位置を確定する。つまり、複数の第二のダウンリンクタイムスロットが第一のアップリンクタイムスロットに対応する場合、予め設定された計算式を用いて計算することができる。
【００５８】
シーン３において、前記タイムスロットオフセットに対応するサブ搬送波間隔がダウンリンクサブ搬送波間隔であるか、其れともアップリンクサブ搬送波間隔であるか否かを判定し、ダウンリンクサブ搬送波間隔である場合、
前記第一のアップリンクタイムスロット及び前記タイムスロットオフセットに基づいて、ＣＳＩ基準リソースの時間領域位置を確定すること、
時間的に最も前である第一のダウンリンクタイムスロットをＣＳＩ基準リソースの時間領域位置として選択すること、
時間的に最も前である有効の第一のダウンリンクタイムスロットをＣＳＩ基準リソースの時間領域位置として選択すること、
時間的に最後である第一のダウンリンクタイムスロットをＣＳＩ基準リソースの時間領域位置として選択すること、
時間的に最後である有効の第一のダウンリンクタイムスロットをＣＳＩ基準リソースの時間領域位置として選択すること、
のうちの一つに基づいて、ＣＳＩ基準リソースの時間領域位置を計算する。
【００５９】
つまり、上記の方式３に基づいてタイムスロットオフセットを計算する場合、まずｎＣＱＩ＿ｒｅｆに対応するサブ搬送波間隔がダウンリンクサブ搬送波間隔であるか、其れともアップリンクサブ搬送波間隔であるかを判定し、ダウンリンクサブ搬送波間隔である場合、上記のいくつかの方法の少なくとも１つに従ってＣＳＩ基準リソースの時間領域位置を計算する。
【００６０】
また、前記タイムスロットオフセットに対応するサブ搬送波間隔がダウンリンクサブ搬送波間隔であるか、其れともアップリンクサブ搬送波間隔であるか否かを判定し、アップリンクサブ搬送波間隔である場合、時間的に最も前である第一のダウンリンクタイムスロットをＣＳＩ基準リソースの時間領域位置として選択する。つまり、アップリンクサブ搬送波間隔である場合、時間的に最も前である第一のダウンリンクタイムスロットをＣＳＩ基準リソースの時間領域位置として選択するという方法に従ってＣＳＩ基準リソースの時間領域位置を計算する。
【００６１】
最後、ステップ１０２の後、確定されたＣＳＩ基準リソースの時間領域位置に基づき、ＣＳＩを計算してＰＵＣＣＨ又はＰＵＳＣＨリソースによって報告する。
【００６２】
これから分かるように、上記技術案により、ＣＳＩ報告構成情報に含まれるダウンリンク測定リソース構成及びアップリンク報告リソース構成により、ＣＳＩ基準リソースの報告時刻に対するタイムスロットオフセットの値を取得し、さらにタイムスロットオフセットに基づいてＣＳＩ基準リソースの時間領域位置を確定することができ、これにより、ＣＳＩの計算を正確に行うことが保証され、システム効率が向上する。
【００６３】
実施例２、
本発明の実施例によるリソース位置の確定方法は、ネットワーク装置に適用される。前記方法は、端末装置へ少なくとも１つの第一の情報を送信することと、前記第一の情報に、ダウンリンク測定リソース構成とアップリンク報告リソース構成を少なくとも含むＣＳＩ報告構成情報を少なくとも含ませることとを含む。
【００６４】
具体的には、前記ＣＳＩ報告構成情報は、ＣＳＩ報告が周期的報告、又は準周期的報告、又は非周期的報告であることをさらに含み、
前記ＣＳＩ報告構成情報に含まれるダウンリンク測定リソース構成は、ＣＳＩ報告に対応する測定リソースの構成を含み、
前記ＣＳＩ報告構成情報に含まれるアップリンク報告リソース構成は、報告する時のＰＵＣＣＨのリソース構成、及び／又は、報告する時のＰＵＳＣＨリソース構成を含む。
【００６５】
前記ＰＵＣＣＨのリソース構成がＰＵＣＣＨを介して報告する時のサブ搬送波間隔であってもよく、ＰＵＳＣＨのリソース構成が、ＰＵＳＣＨを介して報告する時のサブ搬送波間隔であってもよい。当然、ＰＵＣＣＨ又はＰＵＳＣＨのリソース配置はさらに他のパラメーターを含むことができるが、本実施例で網羅的に挙げられない。
【００６６】
それに対応して、端末機器側では、ＣＳＩ報告構成に含まれるダウンリンク測定リソース構成、及びアップリンク報告リソース構成に基づき、タイムスロットオフセットを確定し、さらに少なくとも前記タイムスロットオフセットに基づき、ＣＳＩ基準リソースの時間領域位置を確定することができ、即ち端末はＰＵＣＣＨ又はＰＵＳＣＨを介して報告する時のｓｌｏｔ  ｎ（第一のアップリンクタイムスロット）及びｎＣＱＩ＿ｒｅｆに基づいて、ＣＳＩ基準リソース（基準リソース）の時間領域位置を確定し、確定されたＣＳＩ基準リソースの時間領域位置に基づき、ＣＳＩを計算してＰＵＣＣＨ又はＰＵＳＣＨリソースによって報告することができる。
【００６７】
これから分かるように、上記技術案により、端末装置は、ＣＳＩ報告構成情報に含まれるダウンリンク測定リソース構成及びアップリンク報告リソース構成により、ＣＳＩ基準リソースの報告時刻に対するタイムスロットオフセットの値を取得し、さらにタイムスロットオフセットに基づいてＣＳＩ基準リソースの時間領域位置を確定することができ、これにより、ＣＳＩの計算を正確に行うことが保証され、システム効率が向上する。
【００６８】
実施例３、
上記実施例に基づき、本実施例はさらに具体的な処理シーンを、テーブル１を参照して説明し、即ち異なるｎｕｍｅｒｏｌｏｇｙ（パラメーターセット）が存在し、ＣＳＩ報告にＣＲＩが含まれ又は含まれない（ｗ／ｏ）場合、ｎＣＱＩ＿ｒｅｆ（タイムスロットオフセット）の値がｓｌｏｔｓを単位とし、
アップリンクサブ搬送波間隔が１５ＫＨｚであり、ダウンリンクサブ搬送波間隔が６０ＫＨｚである場合、ｎＣＱＩ＿ｒｅｆ（タイムスロットオフセット）の値が実施例１における方式１に基づいて確定されてもよく、つまり、ｎＣＱＩ＿ｒｅｆ（タイムスロットオフセット）の値をアップリンクサブ搬送波間隔に基づいて、４又は５と確定することができる。
【表１】
2021528878.tif 000003
【００６９】
実施例４
上記実施例に基づき、本実施例はさらに具体的な処理シーンを、テーブル２を参照して説明し、即ちＣＳＩ報告にＣＲＩが含まれ又は含まれない（ｗ／ｏ）場合、ｎＣＱＩ＿ｒｅｆ（タイムスロットオフセット）の値がｍｓを単位とし、
ＣＳＩ報告にＣＲＩが含まれなく、且つアップリンクサブ搬送波間隔が１５ＫＨｚであり、ダウンリンクサブ搬送波間隔が６０ＫＨｚである場合、ｎＣＱＩ＿ｒｅｆ（タイムスロットオフセット）の値を実施例１における方式１に基づいて確定することができ、まずＣＲＩが含まれないタイムスロットオフセット４ｍｓを取得し、次にアップリンクサブ搬送波間隔に基づいて、１ｍｓに含まれるｓｌｏｔ数を４として取得し、これによりｎＣＱＩ＿ｒｅｆを４ｓｌｏｔｓとして取得することができる。
【表２】
2021528878.tif 000004
【００７０】
実施例５、
上記実施例に基づき、本実施例はさらに具体的な処理シーンを、テーブル３を参照して説明し、即ちＣＳＩ報告にＣＲＩが含まれ又は含まれない（ｗ／ｏ）場合、ｎＣＱＩ＿ｒｅｆ（タイムスロットオフセット）の値がｍｓを単位とし、
ＣＳＩ報告にＣＲＩが含まれなく、且つアップリンクサブ搬送波間隔が３０ＫＨｚであり、ダウンリンクサブ搬送波間隔が６０ＫＨｚである場合、ｎＣＱＩ＿ｒｅｆ（タイムスロットオフセット）の値を実施例１における方式１に基づいて確定することができ、まずＣＲＩが含まれないタイムスロットオフセット４ｍｓを取得し、次にダウンリンクサブ搬送波間隔に基づいて、１ｍｓに含まれるｓｌｏｔ数を４として取得し、これによりｎＣＱＩ＿ｒｅｆを１６ｓｌｏｔｓとして取得することができる。
【表３】
2021528878.tif 000005
【００７１】
実施例６、
テーブル４を参照して説明し、アップリンクサブ搬送波間隔が１５ＫＨｚであり、ダウンリンクサブ搬送波間隔が６０ＫＨｚであり、アップリンクでＣＳＩを報告するｓｌｏｔがｓｌｏｔ５であると仮定し、
ｎＣＱＩ＿ｒｅｆ（タイムスロットオフセット）は、アップリンクサブ搬送波間隔に基づいて取得され、その値が４であり、この時に上記実施例におけるシーン１に従って、５から４を差し引いて１を得て、１を対応する第二のアップリンクタイムスロット、即ちアップリンクＳｌｏｔ１とすることができ、
テーブル４において、アップリンクｓｌｏｔ１が第一のダウンリンクタイムスロットＳｌｏｔ１、２、３、４に対応し、この時、少なくとも２つの第一のダウンリンクタイムスロットが第一のアップリンクタイムスロットに対応する場合、時間的に最も前である第一のダウンリンクタイムスロットをＣＳＩ基準リソースの時間領域位置として選択するという原則に従って、ｓｌｏｔ１を選択してダウンリンクＣＳＩ基準リソースの位置するｓｌｏｔとする。
【表４】
2021528878.tif 000006
【００７２】
なお、本実施例では、時間的に最も前である第一のダウンリンクタイムスロットをＣＳＩ基準リソースの時間領域位置とするという原則で処理するが、実際の処理中、さらに時間的に最も前である且つ有効の第一のダウンリンクタイムスロットを選択し、又は、時間的に最後である第一のダウンリンクタイムスロットを選択し、又は時間的に最後である有効の第一のダウンリンクタイムスロットを選択するという処理原則で、ＣＳＩ基準リソースの時間領域位置を確定することもできる。
【００７３】
例えば、依然として上記のテーブルを参照して、時間的に最後である第一のダウンリンクタイムスロットを選択する場合、タイムスロット４を選択する可能性がある。また、タイムスロット１が無効であり、タイムスロット２が有効であり、タイムスロット３が有効であると仮定すると、時間的に最も前である有効の第一のダウンリンクタイムスロットを選択すれば、最終的にタイムスロット２を選択する可能性があり、時間的に最後である有効の第一のダウンリンクタイムスロットを選択すれば、最終的にタイムスロット３を選択する可能性がある。
【００７４】
実施例７、
テーブル５を参照して説明し、アップリンクサブ搬送波間隔が１５ＫＨｚであり、ダウンリンクサブ搬送波間隔が６０ＫＨｚであり、アップリンクでＣＳＩを報告するｓｌｏｔがｓｌｏｔ５であると仮定し、
2021528878.tif 000007
【表５】
2021528878.tif 000008
【００７５】
実施例８、
テーブル６を参照すると、ダウンリンクサブ搬送波間隔が１５ＫＨｚであり、アップリンクサブ搬送波間隔が６０ＫＨｚであり、アップリンクでＣＳＩを報告するｓｌｏｔがｓｌｏｔ１８であると仮定し、
2021528878.tif 000009
【表６】
2021528878.tif 000010
【００７６】
実施例９、
テーブル７を参照すると、アップリンクサブ搬送波間隔が１５ＫＨｚであり、ダウンリンクサブ搬送波間隔が６０ＫＨｚであり、アップリンクでＣＳＩを報告するｓｌｏｔがｓｌｏｔ５であると仮定し、
2021528878.tif 000011
【表７】
2021528878.tif 000012
【００７７】
実施例１０、
本発明の実施例による端末装置は、図２に示すように、
ＣＳＩ報告構成情報に含まれるダウンリンク測定リソース構成、及びアップリンク報告リソース構成に基づき、ＣＳＩ基準リソースの報告時刻に対するタイムスロットオフセットを表すためのタイムスロットオフセットを確定し、少なくとも前記タイムスロットオフセットに基づき、ＣＳＩ基準リソースの時間領域位置を確定するように構成される第一の処理ユニット２１を備える。
【００７８】
前記端末装置はさらに、
ネットワーク側から送信された第一の情報を受信するように構成される第一の通信ユニット２２を備え、
それに対応して、前記第一の処理ユニット２１は、前記第一の情報に基づき、少なくとも１つのＣＳＩ報告構成情報を取得する。
【００７９】
具体的には、前記ＣＳＩ報告構成情報は、ＣＳＩ報告が周期的報告、又は準周期的報告、又は非周期的報告であることをさらに含み、
前記ＣＳＩ報告構成情報に含まれるダウンリンク測定リソース構成は、ＣＳＩ報告に対応する測定リソースの構成を含み、
前記ＣＳＩ報告構成情報に含まれるアップリンク報告リソース構成は、報告する時のＰＵＣＣＨのリソース構成、及び／又は、報告する時のＰＵＳＣＨリソース構成を含む。
【００８０】
前記ＰＵＣＣＨのリソース構成がＰＵＣＣＨを介して報告する時のサブ搬送波間隔であってもよく、ＰＵＳＣＨのリソース構成がＰＵＳＣＨを介して報告する時のサブ搬送波間隔であってもよい。当然、ＰＵＣＣＨ又はＰＵＳＣＨのリソース配置はさらに他のパラメーターを含むことができるが、本実施例で網羅的に挙げられない。
【００８１】
ＣＳＩ報告構成に含まれるダウンリンク測定リソース構成、及びアップリンク報告リソース構成に基づき、タイムスロットオフセットを確定することは、以下のいくつかの具体的な処理方式を含むことができる。
【００８２】
方式１において、第一の処理ユニット２１は、ＣＳＩ報告が周期的報告又は準周期的報告である場合、報告する時のＰＵＣＣＨ又はＰＵＳＣＨのリソース構成に基づき、ＣＳＩ基準リソースの報告時刻に対するタイムスロットオフセットを確定する。
【００８３】
具体的には、周期的報告又は準周期的報告である場合、報告する時のＰＵＣＣＨ又はＰＵＳＣＨのリソース構成のサブ搬送波間隔によって、テーブル検索してｎＣＱＩ＿ｒｅｆ（ＣＳＩ基準リソースの報告時刻に対するタイムスロットオフセット）の値を得る。
【００８４】
ここで、テーブル検索操作における対応するテーブルは、予め設定されたサブ搬送波間隔とタイムスロットオフセットに対応する第一のテーブルであってもよい。
【００８５】
説明すべきこととして、報告する時のＰＵＣＣＨ又はＰＵＳＣＨのリソース構成に基づき、ＣＳＩ基準リソースの報告時刻に対するタイムスロットオフセットを確定する方式について、上記のテーブル検索以外、他の処理方法が存在してもよく、例えば、予め設定された対応関係によって確定することができ、例えば、ＰＵＳＣＨ又はＰＵＣＣＨに対応するサブ搬送波間隔１がタイムスロットオフセット１に対応し、サブ搬送波間隔２がタイムスロットオフセット２に対応するように予め設定される。また、予め設定された計算式に基づいて計算することもでき、例えば、サブ搬送波間隔とタイムスロットオフセットとの対応関係に応じて、計算式を設定し、異なるサブ搬送波間隔と対応するパラメーターに基づいてタイムスロットオフセットを計算することができ、ここで、設定された計算式が実際の状況に応じて設定されてもよい。
【００８６】
方式２において、第一の処理ユニット２１は、ＣＳＩ報告が周期的報告又は準周期的報告である場合、ＣＳＩ報告構成情報に対応するダウンリンク測定リソースのリソース構成に基づき、ＣＳＩ基準リソースの報告時刻に対するタイムスロットオフセットを確定する。
【００８７】
具体的には、周期的報告又は準周期的報告である場合、該ＣＳＩ報告に対応するダウンリンク測定リソースのサブ搬送波間隔によって、テーブル検索してｎＣＱＩ＿ｒｅｆの値を取得する。
【００８８】
つまり、本方式では、ダウンリンク測定リソースのリソース構成はさらにサブ搬送波間隔を含むことができる。
【００８９】
同様に、本方式におけるテーブル検索の処理方式は置き換えられてもよく、具体的な置き換え処理が方式１と同じであり、ここで説明を省略する。
【００９０】
方式３において、第一の処理ユニット２１は、ＣＳＩ報告が周期的報告又は準周期的報告である場合、報告する時のＰＵＣＣＨ又はＰＵＳＣＨのリソース構成とＣＳＩ報告情報に対応するダウンリンク測定時のリソース構成に基づき、ＣＳＩ基準リソースの報告時刻に対するタイムスロットオフセットを確定する。
【００９１】
具体的には、ＣＳＩ報告が周期的報告又は準周期的報告である場合、報告する時のＰＵＣＣＨ又はＰＵＳＣＨのリソース構成とＣＳＩ報告情報に対応するダウンリンク測定時のリソース構成のうちの最小又は最大のサブ搬送波間隔に基づき、ＣＳＩ基準リソースの報告時刻に対するタイムスロットオフセットを得ることができる。
【００９２】
例えば、報告する時のＰＵＣＣＨ又はＰＵＳＣＨ及びＣＳＩ報告に対応するダウンリンク測定リソースの最小又は最大のサブ搬送波間隔によって、テーブル検索してｎＣＱＩ＿ｒｅｆの値を得ることができる。
【００９３】
同様に、本方式におけるテーブル検索の処理方式は置き換えられてもよく、具体的な置き換え処理が方式１と同じであり、ここで説明を省略する。
【００９４】
方式４において、第一の処理ユニット２１は、ＣＳＩ報告が非周期的報告である場合、ＣＳＩの計算時間に基づいてＣＳＩ基準リソースの報告時刻に対するタイムスロットオフセットを取得する。
【００９５】
例えば、ＰＵＳＣＨ（又はＰＵＣＣＨ）を介して報告する時に、非周期的ＣＳＩがＰＵＳＣＨを介して報告されると、Ｚ’（つまり、非周期的ＣＳＩ報告のためのＣＳＩの計算時間）によってｎＣＱＩ＿ｒｅｆの値を取得する。
【００９６】
ここで、Ｚ’は、端末がＣＳＩを測定するためのＣＳＩ−ＲＳ又はＣＳＩ−ＩＭのより後ろの最後の一つのシンボルから、ＰＵＳＣＨを介して報告する時までの必要なシンボル数で表すことができる。
【００９７】
方式５において、第一の処理ユニット２１は、端末の報告能力によって前記端末装置がサポートできるタイムスロットオフセットの値をネットワーク側に通知する場合、
ＣＳＩ報告が周期的報告又は準周期的報告である場合、報告する時のＰＵＣＣＨ又はＰＵＳＣＨのサブ搬送波間隔によって、ＣＳＩ基準リソースの報告時刻に対するタイムスロットオフセットを取得すること、
ＣＳＩ報告が周期的報告又は準周期的報告である場合、ＣＳＩ報告構成情報に対応するダウンリンク測定リソースのサブ搬送波間隔によってＣＳＩ基準リソースの報告時刻に対するタイムスロットオフセットを取得すること、
ＣＳＩ報告が周期的報告又は準周期的報告である場合、報告する時のＰＵＣＣＨ又はＰＵＳＣＨのリソース構成とＣＳＩ報告情報に対応するダウンリンク測定時のリソース構成の最小又は最大のサブ搬送波間隔に基づき、ＣＳＩ基準リソースの報告時刻に対するタイムスロットオフセットを取得すること、
のうちのいずれかの一つに基づき、ＣＳＩ基準リソースの報告時刻に対するタイムスロットオフセットを確定する。
【００９８】
具体的には、端末の報告能力によって該端末がサポートできるｎＣＱＩ＿ｒｅｆの値を基地局に通知することができ、端末は上記方式１、方式２、方式３のいずれかの１つの方式に従ってテーブル検索してｎＣＱＩ＿ｒｅｆの値を得る。
【００９９】
同様に、本方式におけるテーブル検索の処理方式は置き換えられてもよく、具体的な置き換え処理が方式１と同じであり、ここで説明を省略する。
【０１００】
上記技術案の説明に基づき、少なくとも前記タイムスロットオフセットに基づき、ＣＳＩ基準リソースの時間領域位置を確定し、即ち端末が報告する時刻のＰＵＣＣＨ又はＰＵＳＣＨのｓｌｏｔ  ｎ（第一のタイムスロット）及びｎＣＱＩ＿ｒｅｆに基づいてＣＳＩ基準リソース（ｒｅｆｅｒｅｎｃｅ  ｒｅｓｏｕｒｃｅ）の時間領域位置を確定することも以下の複数の処理シーンを含むことができる。
【０１０１】
シーン１において、第一の処理ユニット２１は、報告する時刻のＰＵＣＣＨ又はＰＵＳＣＨの第一のアップリンクタイムスロットから前記タイムスロットオフセットを差し引いて第二のアップリンクタイムスロットを得て、前記第二のアップリンクタイムスロットに対応する第一のダウンリンクタイムスロットをＣＳＩ基準リソースの時間領域位置とする。
【０１０２】
具体的には、上記方式１で処理してタイムスロットオフセットを得る時に、まずｓｌｏｔ  ｎ（第一のアップリンクタイムスロット）の前のｎ番目のＣＱＩ＿ｒｅｆ、即ちｎ−ｎＣＱＩ＿ｒｅｆの位置するｓｌｏｔを得て、次に該アップリンクｓｌｏｔに対応するダウンリンクｓｌｏｔを得る。
【０１０３】
さらに、少なくとも２つの第一のダウンリンクタイムスロットが第一のアップリンクタイムスロットに対応する場合、時間的に最も前である第一のダウンリンクタイムスロットをＣＳＩ基準リソースの時間領域位置として選択する。つまり、複数の第一のダウンリンクタイムスロットが該アップリンクタイムスロットに対応する場合、時間的に最も前であるタイムスロットをＣＳＩ基準リソースの時間領域位置として選択する。
【０１０４】
又は、少なくとも２つの第一のダウンリンクタイムスロットが第一のアップリンクタイムスロットに対応する場合、時間的に最も前である有効の第一のダウンリンクタイムスロットをＣＳＩ基準リソースの時間領域位置として選択する。つまり、このような複数の第一のダウンリンクタイムスロットが該第一のアップリンクタイムスロットに対応する場合、時間的に最も前である有効のタイムスロットをＣＳＩ基準リソースの時間領域位置として選択する。
【０１０５】
又は、少なくとも２つの第一のダウンリンクタイムスロットが第一のアップリンクタイムスロットに対応する場合、時間的に最後である第一のダウンリンクタイムスロットをＣＳＩ基準リソースの時間領域位置として選択する。
【０１０６】
つまり、このような複数の第一のダウンリンクタイムスロットが該第一のアップリンクタイムスロットに対応する場合、時間的に最後であるタイムスロットをＣＳＩ基準リソースの時間領域位置として選択する。
【０１０７】
又は、少なくとも２つの第一のダウンリンクタイムスロットが第一のアップリンクタイムスロットに対応する場合、時間的に最後である有効の第一のダウンリンクタイムスロットをＣＳＩ基準リソースの時間領域位置として選択する。
【０１０８】
つまり、このような複数の第一のダウンリンクタイムスロットが該第一のアップリンクタイムスロットに対応する場合、時間的に最後である有効のダウンリンクタイムスロットをＣＳＩ基準リソースの時間領域位置として選択する。
【０１０９】
又は、少なくとも２つの第一のダウンリンクタイムスロットが第一のアップリンクタイムスロットに対応する場合、前記第一のアップリンクタイムスロット及び前記タイムスロットオフセットに基づいて、ＣＳＩ基準リソースの時間領域位置を確定する。
【０１１０】
つまり、このような複数の第一のダウンリンクタイムスロットが第一のアップリンクタイムスロットに対応する場合、計算式、第一のアップリンクタイムスロット、及びタイムスロットオフセットを予め設定してＣＳＩ基準リソースの時間領域位置を計算することができる。
【０１１１】
又は、少なくとも２つの第一のダウンリンクタイムスロットが第一のアップリンクタイムスロットに対応する場合、
時間的に最も前である第一のダウンリンクタイムスロットをＣＳＩ基準リソースの時間領域位置として選択すること、
時間的に最も前である有効の第一のダウンリンクタイムスロットをＣＳＩ基準リソースの時間領域位置として選択すること、
時間的に最後である第一のダウンリンクタイムスロットをＣＳＩ基準リソースの時間領域位置として選択すること、
時間的に最後である有効の第一のダウンリンクタイムスロットをＣＳＩ基準リソースの時間領域位置として選択すること、
のうちの少なくとも１つに基づいて、対応するダウンリンクタイムスロットを少なくとも２つの帯域幅部分（ＢＷＰ）のＣＳＩ基準リソースの時間領域位置として選択する
つまり、複数のダウンリンクタイムスロットが該アップリンクタイムスロットに対応する場合、それぞれ上記の４つの方式に従って対応するダウンリンクタイムスロットをＣＳＩ基準リソースの時間領域位置として選択する。上記の４つの方式のうち少なくとも１つを用いることができる。
【０１１２】
シーン２において、第一の処理ユニット２１は、報告する時刻のＰＵＣＣＨ又はＰＵＳＣＨの第一のアップリンクタイムスロットに対応する第二のダウンリンクタイムスロットを確定し、前記第二のダウンリンクタイムスロットから前記タイムスロットオフセットを差し引いて得られた第三のダウンリンクタイムスロットをＣＳＩ基準リソースの時間領域位置とする。
【０１１３】
つまり、上記方式２を用いてタイムスロットオフセットを得る時に、まずｓｌｏｔ  ｎ（第一のアップリンクタイムスロット）に対応するダウンリンクｓｌｏｔ  ｎ’（第二のダウンリンクタイムスロット）を得て、ダウンリンクｓｌｏｔｎ’（第二のダウンリンクタイムスロット）の前のｎＣＱＩ＿ｒｅｆ、即ちｎ’−ｎＣＱＩ＿ｒｅｆの位置するタイムスロットをＣＳＩ基準リソースの時間領域位置として選択する。
【０１１４】
さらに、少なくとも２つの第二のダウンリンクタイムスロットが第一のアップリンクタイムスロットに対応する場合、１番前の第二のダウンリンクタイムスロットを選択して、第三のダウンリンクタイムスロットを計算するためのものとする。
【０１１５】
つまり、複数のダウンリンクｓｌｏｔ  ｎ’（第二のダウンリンクタイムスロット）がアップリンクｓｌｏｔ  ｎ（第一のアップリンクタイムスロット）に対応する場合、１番前のダウンリンクｓｌｏｔ  ｎ’をＣＳＩ基準リソース（ｒｅｆｅｒｅｎｃｅ  ｒｅｓｏｕｒｃｅ）を選択して計算するためのものとする。
【０１１６】
又は、少なくとも２つの第二のダウンリンクタイムスロットが第一のアップリンクタイムスロットに対応する場合、最後の第二のダウンリンクタイムスロットを選択して、第三のダウンリンクタイムスロットを計算するためのものとする。
【０１１７】
つまり、複数のダウンリンクｓｌｏｔ  ｎ’（第二のダウンリンクタイムスロット）がアップリンクｓｌｏｔ  ｎ（第一のアップリンクタイムスロット）に対応する場合、最後のダウンリンクｓｌｏｔ  ｎ’を選択して、第三のダウンリンクスロットを計算するためものとし、それによって、ＣＳＩ基準リソースを確定する。
【０１１８】
又は、少なくとも２つの第二のダウンリンクタイムスロットが第一のアップリンクタイムスロットに対応する場合、前記第一のアップリンクタイムスロット及び前記タイムスロットオフセットに基づいて、ＣＳＩ基準リソースの時間領域位置を確定する。つまり、複数の第二のダウンリンクタイムスロットが第一のアップリンクタイムスロットに対応する場合、予め設定された計算式を用いて計算することができる。
【０１１９】
シーン３において、第一の処理ユニット２１は、前記タイムスロットオフセットに対応するサブ搬送波間隔がダウンリンクサブ搬送波間隔であるか、其れともアップリンクサブ搬送波間隔であるか否かを判定し、ダウンリンクサブ搬送波間隔である場合、
前記第一のアップリンクタイムスロット及び前記タイムスロットオフセットに基づいて、ＣＳＩ基準リソースの時間領域位置を確定すること、
時間的に最も前である第一のダウンリンクタイムスロットをＣＳＩ基準リソースの時間領域位置として選択すること、
時間的に最も前である有効の第一のダウンリンクタイムスロットをＣＳＩ基準リソースの時間領域位置として選択すること、
時間的に最後である第一のダウンリンクタイムスロットをＣＳＩ基準リソースの時間領域位置として選択すること、
時間的に最後である有効の第一のダウンリンクタイムスロットをＣＳＩ基準リソースの時間領域位置として選択すること、
のうちの一つに基づいて、ＣＳＩ基準リソースの時間領域位置を計算する。
【０１２０】
つまり、上記の方式３に基づいてタイムスロットオフセットを計算する場合、まずｎＣＱＩ＿ｒｅｆに対応するサブ搬送波間隔がダウンリンクサブ搬送波間隔であるか、其れともアップリンクサブ搬送波間隔であるかを判定し、ダウンリンクサブ搬送波間隔である場合、上記のいくつかの方法の少なくとも１つに従ってＣＳＩ基準リソースの時間領域位置を計算する。
【０１２１】
また、第一の処理ユニット２１は、前記タイムスロットオフセットに対応するサブ搬送波間隔がダウンリンクサブ搬送波間隔であるか、其れともアップリンクサブ搬送波間隔であるか否かを判定し、アップリンクサブ搬送波間隔である場合、時間的に最も前である第一のダウンリンクタイムスロットをＣＳＩ基準リソースの時間領域位置として選択する。つまり、アップリンクサブ搬送波間隔である場合、時間的に最も前である第一のダウンリンクタイムスロットをＣＳＩ基準リソースの時間領域位置として選択する方法に従ってＣＳＩ基準リソースの時間領域位置を計算する。
【０１２２】
最後、第一の処理ユニット２１は、確定されたＣＳＩ基準リソースの時間領域位置に基づき、ＣＳＩを計算し、ＰＵＣＣＨ又はＰＵＳＣＨリソースによって報告する。
【０１２３】
これから分かるように、上記技術案により、ＣＳＩ報告構成情報に含まれるダウンリンク測定リソース構成及びアップリンク報告リソース構成により、ＣＳＩ基準リソースの報告時刻に対するタイムスロットオフセットの値を取得し、さらにタイムスロットオフセットに基づいてＣＳＩ基準リソースの時間領域位置を確定することができ、これにより、ＣＳＩの計算を正確に行うことが保証され、システム効率が向上する。
【０１２４】
実施例１１、
本発明の実施例によるネットワーク装置は、端末装置へ少なくとも１つの第一の情報を送信し、前記第一の情報に、ダウンリンク測定リソース構成及びアップリンク報告リソース構成を少なくとも含むＣＳＩ報告構成情報を少なくとも前記第一の情報に含ませるように構成される第二の通信ユニットを備える。
【０１２５】
具体的には、前記ＣＳＩ報告構成情報は、さらに周期的ＣＳＩ報告、準周期的ＣＳＩ報告、又は非周期的ＣＳＩ報告を含み、
前記ＣＳＩ報告構成情報に含まれるダウンリンク測定リソース構成は、ＣＳＩ報告に対応する測定リソースの構成を含み、
前記ＣＳＩ報告構成情報に含まれるアップリンク報告リソース構成は、報告する時のＰＵＣＣＨのリソース構成、及び／又は、報告する時のＰＵＳＣＨリソース構成を含む。
【０１２６】
前記ＰＵＣＣＨのリソース構成がＰＵＣＣＨを介して報告する時のサブ搬送波間隔であってもよく、ＰＵＳＣＨのリソース構成が、ＰＵＳＣＨを介して報告する時のサブ搬送波間隔であってもよい。当然、ＰＵＣＣＨ又はＰＵＳＣＨのリソース配置はさらに他のパラメーターを含むことができるが、本実施例で網羅的に挙げられない。
【０１２７】
それに対応して、端末機器側では、ＣＳＩ報告構成に含まれるダウンリンク測定リソース構成、及びアップリンク報告リソース構成に基づき、タイムスロットオフセットを確定し、さらに少なくとも前記タイムスロットオフセットに基づき、ＣＳＩ基準リソースの時間領域位置を確定することができ、即ち端末は報告する時のＰＵＣＣＨ又はＰＵＳＣＨのｓｌｏｔ  ｎ（第一のアップリンクタイムスロット）及びｎＣＱＩ＿ｒｅｆに基づいてＣＳＩ基準リソース（ｒｅｆｅｒｅｎｃｅ  ｒｅｓｏｕｒｃｅ）の時間領域位置を確定し、確定されたＣＳＩ基準リソースの時間領域位置に基づき、ＣＳＩを計算してＰＵＣＣＨ又はＰＵＳＣＨリソースによって報告することができる。
【０１２８】
これから分かるように、上記技術案により、端末装置は、ＣＳＩ報告構成情報に含まれるダウンリンク測定リソース構成及びアップリンク報告リソース構成により、ＣＳＩ基準リソースの報告時刻に対するタイムスロットオフセットの値を取得し、さらにタイムスロットオフセットに基づいてＣＳＩ基準リソースの時間領域位置を確定することができ、これにより、ＣＳＩの計算を正確に行うことが保証され、システム効率が向上する。
【０１２９】
本発明の実施例による端末装置、又はネットワーク装置のハードウェア構成アーキテクチャは、図３に示すように、少なくとも一つのプロセッサ３１、メモリ３２、少なくとも一つのネットワークインタフェース３３を備える。各コンポーネントはバスシステム３４を介して結合される。理解できるものとして、バスシステム３４はこれらのコンポーネント間の接続通信を実現することに用いられる。バスシステム３４はデータバス以外、電源バス、制御バスと状態信号バスを含む。しかしながら、説明を明確にするために、図３では様々なバスシステムがバスシステム３４として標識される。
【０１３０】
本発明の実施例におけるメモリ３２が揮発性メモリ又は不揮発性メモリであってもよく、又は揮発性メモリ及び不揮発性メモリの両方を含むことができることは理解可能である。
【０１３１】
いくつかの実施形態では、メモリ３２は、実行可能モジュール又はデータ構造、又はそれらのサブセット、又はそれらの拡張セット即ちオペレーティングシステム３２１及びアプリケーションプログラム３２２を記憶する。
【０１３２】
ここで、前記プロセッサ３１は、上記実施例形態１又は２の方法のステップを処理できるように構成され、ここでは説明を省略する。
【０１３３】
本発明の実施例における上記装置は、ソフトウェア機能モジュールの形態で実現され且つ独立した製品として販売又は使用されると、一つのコンピュータ読み取り可能な記憶媒体に記憶されてもよい。このような理解に基づき、本発明の実施例における技術的技術案は本質的に又は従来技術に寄与する部分がソフトウェア製品の形で具現化されてもよく、該コンピュータソフトウェア製品が１つの記憶媒体に記憶され、コンピュータ機器（パーソナルコンピュータ、サーバ、又はネットワーク装置等であってもよい）に本発明の様々な実施例に記載される方法の全て又は一部のステップを実行させるためのいくつかの命令を含む。前記記憶媒体はＵＳＢフラッシュドライブ、モバイルハードディスク、読み取り専用メモリ（ＲＯＭ：Ｒｅａｄ  Ｏｎｌｙ  Ｍｅｍｏｒｙ）、磁気ディスク又は光ディスク等のプログラムコードを記憶できる様々な媒体を含む。このようにして、本発明の実施例は、いかなる特定のハードウェアとソフトウェアの組み合わせに限定されない。
【０１３４】
本発明の実施例によるコンピュータ記憶媒体は、コンピュータ実行可能命令を記憶し、前記コンピュータ実行可能命令が実行される時に、前記実施形態１又は２の方法のステップを実現する。
【０１３５】
本発明の好ましい実施例は例示の目的で開示されたが、当業者は様々な改善、追加及び置換を理解することができ、したがって、本発明の範囲が上記の実施例に限定されるべきではない。
【図１】
2021528878.tif 000013
【図２】
2021528878.tif 000014
【図３】
2021528878.tif 000015
【手続補正書】
【提出日】令和3年4月8日(2021.4.8)
【手続補正１】
【補正対象書類名】特許請求の範囲
【補正対象項目名】全文
【補正方法】変更
【補正の内容】
【特許請求の範囲】
【請求項１】
端末装置に適用されるリソース位置の確定方法であって、
チャネル状態情報（ＣＳＩ）の報告時刻の位置する第一のアップリンクタイムスロットに基づいて、前記ＣＳＩの報告時刻に対応する第二のアップリンクタイムスロットを確定することと、
タイムスロットオフセットを取得することであって、前記タイムスロットオフセットが、時間領域において、ＣＳＩ基準リソースの前記第二のダウンリンクタイムスロットの位置に対するタイムスロットオフセットであることと、
前記第二のダウンリンクタイムスロット及び前記タイムスロットオフセットに基づき、前記ＣＳＩ基準リソースの時間領域位置を確定することと、を含む、リソース位置の確定方法。
【請求項２】
前記第二のダウンリンクタイムスロット及び前記タイムスロットオフセットに基づき、前記ＣＳＩ基準リソースの時間領域位置を確定することは、
前記第二のダウンリンクタイムスロットから前記タイムスロットオフセットを差し引いて、第三のダウンリンクタイムスロットを取得することと、
前記第三のダウンリンクタイムスロットを前記ＣＳＩ基準リソースの時間領域位置として確定することと、を含む、
請求項１に記載の方法。
【請求項３】
タイムスロットオフセットを取得することは、
ＣＳＩ報告構成情報に含まれるダウンリンク測定リソース構成に基づいて、タイムスロットオフセットを確定することを含む、
請求項１又は２に記載の方法。
【請求項４】
前記ＣＳＩ報告構成情報に含まれるダウンリンク測定リソース構成に基づいて、タイムスロットオフセットを確定することは、
前記ＣＳＩ報告構成情報に含まれるダウンリンク測定リソース構成に対応するサブ搬送波間隔に基づいて、タイムスロットオフセットを確定することを含む、
請求項３に記載の方法。
【請求項５】
前記ＣＳＩ報告構成情報に含まれるダウンリンク測定リソース構成は、ＣＳＩ報告に対応する測定リソースの構成を含む、
請求項３又は４に記載の方法。
【請求項６】
前記ＣＳＩ報告構成情報は、ＣＳＩ報告が周期的報告、又は準周期的報告をさらに含む、
請求項３−５のいずれか一項に記載の方法。
【請求項７】
前記方法は、
第一の情報を受信することと、
前記第一の情報に基づいて、前記ＣＳＩ報告構成情報を取得することと、をさらに含む、
請求項３−６のいずれか一項に記載の方法。
【請求項８】
通信システムにおける端末装置であって、処理ユニットを備え、
前記処理ユニットが、
チャネル状態情報（ＣＳＩ）の報告時刻の位置する第一のアップリンクタイムスロットに基づいて、前記ＣＳＩの報告時刻に対応する第二のアップリンクタイムスロットを確定することと、
タイムスロットオフセットを取得することであって、前記タイムスロットオフセットが、時間領域において、ＣＳＩ基準リソースの前記第二のダウンリンクタイムスロットの位置に対するタイムスロットオフセットであることと、
前記第二のダウンリンクタイムスロット及び前記タイムスロットオフセットに基づき、前記ＣＳＩ基準リソースの時間領域位置を確定することと、を実行するように構成される、
端末装置。
【請求項９】
前記処理ユニットが、
前記第二のダウンリンクタイムスロットから前記タイムスロットオフセットを差し引いて、第三のダウンリンクタイムスロットを取得することと、
前記第三のダウンリンクタイムスロットを前記ＣＳＩ基準リソースの時間領域位置として確定することと、を実行するようにさらに構成される、
請求項８に記載の端末装置。
【請求項１０】
前記処理ユニットが、具体的に、
ＣＳＩ報告構成情報に含まれるダウンリンク測定リソース構成に基づいて、タイムスロットオフセットを確定するように構成される、
請求項８又は９に記載の端末装置。
【請求項１１】
前記処理ユニットが、具体的に、
前記ＣＳＩ報告構成情報に含まれるダウンリンク測定リソース構成に対応するサブ搬送波間隔に基づいて、タイムスロットオフセットを確定するように構成される、
請求項１０に記載の端末装置。
【請求項１２】
前記ＣＳＩ報告構成情報に含まれるダウンリンク測定リソース構成は、ＣＳＩ報告に対応する測定リソースの構成をさらに含む、
請求項１０又は１１に記載の端末装置。
【請求項１３】
前記ＣＳＩ報告構成情報は、ＣＳＩ報告が周期的報告、又は準周期的報告をさらに含む、
請求項１０−１２のいずれか一項に記載の端末装置。
【請求項１４】
前記端末装置は、さらに送受信機が含み、
前記送受信機が、第一の情報を受信するように構成され、
前記処理ユニットが、前記第一の情報に基づいて、前記ＣＳＩ報告構成情報を取得するようにさらに構成される、
請求項１０−１３のいずれか一項に記載の端末装置。
【請求項１５】
コンピュータ記憶媒体であって、コンピュータ実行可能命令を記憶し、前記コンピュータ実行可能命令が一つ以上のプロセッサにより実行される時に、前記一つ以上のプロセッサに請求項１−７のいずれか一項に記載される方法のステップを実行させる、コンピュータ記憶媒体。
【国際調査報告】
2021528878.tif 000016
2021528878.tif 000017
2021528878.tif 000018
2021528878.tif 000019
2021528878.tif 000020